(57)【要約】【課題】利便性を保ちつつ消費電力を抑制できる投写型表示装置を提供する。【解決手段】プロジェクタ１は、光を出射するランプ２０１と、ランプ２０１からの光を映像信号に応じて変調する液晶パネル２０３、２０４、２０５と、人体の存在を感知する人感センサ４０４と、映像信号が入力されていることを検出する映像信号検出回路４０７ａと、ランプ２０１および液晶パネル２０３、２０４、２０５を制御するＣＰＵ４０１と、を備える。ＣＰＵ４０１は、ランプ２０１および液晶パネル２０３、２０４、２０５の動作により画像を投写する運転を行っているとき、人感センサ４０４が人体の存在を感知せず、且つ、映像信号が入力されているときには、運転を継続するとともに、人感センサ４０４が人体の存在を感知せず、且つ、映像信号が入力されていことに基づいて、運転を停止する。【選択図】図３
2013134283.tif 000002
【特許請求の範囲】
【請求項１】
光を出射する光源と、
前記光源からの前記光を、映像信号に応じて変調する光変調部と、
人体の存在を感知する人体感知部と、
前記映像信号が入力されていることを検出する検出部と、
前記光源および前記光変調部を制御する駆動制御部と、を備え、
前記駆動制御部は、前記光源および前記光変調部の動作により画像を投写する運転を行っているときに、前記人体感知部が人体の存在を感知せず、且つ、前記検出部が前記映像信号の入力を検出しているときには、前記運転を継続するとともに、前記人体感知部が人体の存在を感知せず、且つ、前記検出部が前記映像信号の入力を検出しないことに基づいて、前記運転を停止する、
ことを特徴とする投写型表示装置。
【請求項２】
請求項１に記載の投写型表示装置において、
前記駆動制御部による前記運転の停止に先立ち、前記運転の停止を予告する予告部をさらに備え、
前記駆動制御部は、前記予告部による前記予告の後の所定時間、前記人体感知部が人体の存在を感知せず、且つ、前記検出部が前記映像信号の入力を検出しないことに基づいて、前記運転を停止する、
ことを特徴とする投写型表示装置。
【請求項３】
請求項２に記載の投写型表示装置において、
前記予告部は、前記運転の停止を予告するための予告画像を、前記駆動制御部に投写させる、
ことを特徴とする投写型表示装置。
【請求項４】
請求項３に記載の投写型表示装置において、
前記予告画像は、前記運転が停止されるまでの残り時間を表示する画像を含む、
ことを特徴とする投写型表示装置。
【請求項５】
請求項３または４に記載の投写型表示装置において、
前記予告画像は、前記映像信号が入力されていないことを報知するための画像を含む、ことを特徴とする投写型表示装置。
【請求項６】
請求項２ないし５の何れか一項に記載の投写型表示装置において、
前記駆動制御部は、前記検出部が前記映像信号の入力を検出しない場合にも、前記人体感知部が人体の存在を感知しているとき、前記運転を継続する、
ことを特徴とする投写型表示装置。
【発明の詳細な説明】
【技術分野】
【０００１】
本発明は、光源からの光を変調して被投写面に投写する投写型表示装置に関する。
【背景技術】
【０００２】
従来、光源からの光を変調して被投写面に投写する投写型表示装置（以下、「プロジェクタ」という）が、広く利用されている。かかるプロジェクタでは、他の電気機器と同様、消費電力の抑制が一つの課題となっている。
【０００３】
消費電力を抑制するための方法として、他の電気機器では、人の存否に基づいて運転を制御すること方法が提案されている（たとえば、特許文献１参照）。この方法では、人の存否を判別するために、いわゆる人感センサが用いられ、たとえば、人感センサからの信号に基づいて、電気機器が使用されない状況下にあると判断された場合に、電気機器における操作部のバックライトを停止する制御が実行される（たとえば、特許文献１参照）。
【先行技術文献】
【特許文献】
【０００４】
【特許文献１】特開２０１１−１９７２２２号公報
【発明の概要】
【発明が解決しようとする課題】
【０００５】
しかしながら、他の電気機器と異なり、プロジェクタでは、周囲に人がいない状況下において、直ちに運転が停止されるのは望ましくない場合がある。
【０００６】
たとえば、プロジェクタから投写される映像によって商品や物品の展示が行われるような場面では、周囲に人がいなくても、映像の投写が継続されるのが望ましい。このような場面において、映像の投写が停止されると、その後、映像に触れる機会が遮断され、展示の効果が薄れてしまう。つまり、このような場面では、消費電力の抑制よりも、投写による利便性が優先されるのが望ましい。
【０００７】
本発明は、かかる課題に鑑みてなされたものであり、利便性を保ちつつ消費電力を抑制できる投写型表示装置を提供することを目的とする。
【課題を解決するための手段】
【０００８】
本発明に係る投写型表示装置は、光を出射する光源と、前記光源からの前記光を、映像信号に応じて変調する光変調部と、人体の存在を感知する人体感知部と、前記映像信号が入力されていることを検出する検出部と、前記光源および前記光変調部を制御する駆動制御部と、を備える。ここで、前記駆動制御部は、前記光源および前記光変調部の動作により画像を投写する運転を行っているときに、前記人体感知部が人体の存在を感知せず、且つ、前記検出部が前記映像信号の入力を検出しているときには、前記運転を継続するとともに、前記人体感知部が人体の存在を感知せず、且つ、前記検出部が前記映像信号の入力を検出しないことに基づいて、前記運転を停止する。
【０００９】
本発明に係る投写型表示装置によれば、投写型表示装置の周囲に人物がいない場合であっても、映像信号が入力されている間は、その映像信号に基づく映像がスクリーンに投写される。よって、投写による利便性が維持される。
【００１０】
さらに、本発明の投写型表示装置によれば、周囲に人物がいない場合であって、しかも
映像信号が入力されていない場合には、投写型表示装置の運転が停止されるので、消費電力を抑制できる。たとえば、操作者による電源の切り忘れによる電力の浪費を抑制できる。
【００１１】
よって、投写型表示装置の利便性を保ちつつ、運転に要する消費電力を抑制できる。
【００１２】
本発明に係る投写型表示装置は、前記駆動制御部による前記運転の停止に先立ち、前記運転の停止を予告する予告部をさらに備え得る。この場合、前記駆動制御部は、前記予告部による前記予告の後の所定時間、前記人体感知部が人体の存在を感知せず、且つ、前記検出部が前記映像信号の入力を検出しないことに基づいて、前記運転を停止する。
【００１３】
この構成によれば、人体の存在が感知されず、且つ、映像信号が入力されていないことに基づいて運転が停止される前に、当該運転の停止が予告される。予告により、操作者は運転の停止を事前に知ることができ、利便性が向上する。
【００１４】
また、本発明に係る投写型表示装置において、前記予告部は、前記運転の停止を予告するための予告画像を、前記駆動制御部に投写させるよう構成され得る。
【００１５】
この構成によれば、操作者および閲覧者は、スクリーンに投写された投写画面に含まれる予告画像を見ることによって、容易に運転が停止されることを知ることができ、便利である。
【００１６】
また、本発明に係る投写型表示装置において、前記予告画像は、前記運転が停止されるまでの残り時間を表示する画像を含み得る。
【００１７】
この構成によれば、操作者および閲覧者は、運転が停止されるまでの時間を容易に知ることができ、便利である。
【００１８】
さらに、本発明に係る投写型表示装置において、前記予告画像は、前記映像信号が入力されていないことを報知するための画像を含み得る。
【００１９】
この構成によれば、操作者および閲覧者は、映像信号が入力されていないことを容易に知ることができ、便利である。
【００２０】
また、本発明に係る投写型表示装置において、前記駆動制御部は、前記検出部が前記映像信号の入力を検出しない場合にも、前記人体感知部が人体の存在を感知しているとき、前記運転を継続し得る。
【００２１】
この構成によれば、たとえば投写型表示装置の設置作業中には、操作者を人体感知部が感知するため、運転が停止されない。このため、操作者が映像信号を入力するための接続作業を終えたときには即座に映像信号に基づく投写画面がスクリーンに投写されるため、投写型表示装置の利便性が高められる。
【発明の効果】
【００２２】
以上のとおり、本発明によれば、利便性を保ちつつ消費電力を抑制できる投写型表示装置を提供することができる。
【００２３】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２４】
【図１】実施の形態に係る、プロジェクタの構成を示す図である。
【図２】実施の形態に係る、光学エンジンの構成を示す図である。
【図３】実施の形態に係る、プロジェクタの回路系の構成を示す図である。
【図４】実施の形態に係る、駆動制御処理を示すフローチャートである。
【図５】変更例に係る、プロジェクタの回路系の構成を示す図である。
【図６】変更例に係る、駆動制御処理を示すフローチャートである。
【図７】変更例に係る、駆動制御処理に基づきスクリーンに投写された投写画面を示すである。
【図８】その他の変更例に係る、駆動制御処理に基づきスクリーンに投写された投写画面を示すである。
【発明を実施するための形態】
【００２５】
以下、図面を参照して、実施の形態に係るプロジェクタ１について説明する。
【００２６】
図１は、プロジェクタ１の構成を示す図である。同図を参照して、プロジェクタ１は、筺体となる、横長の略直方体形状のキャビネット１０を備えている。キャビネット１０には、前面左側に投写窓１０１が形成されており、前面右側および右側面にキャビネット１０内部から排気を行うための排気口１０２、１０３がそれぞれ形成されている。また、キャビネット１０の上面には、操作キー群１０４が設けられている。操作キー群１０４は、プロジェクタ１の運転を開始または停止させるための運転キー１０４ａ等、複数のキーにより構成されている。
【００２７】
キャビネット１０の内部には、光学エンジン２０および投写レンズユニット３０が配されている。光学エンジン２０は、映像信号に基づいて変調された映像光を生成する。光学エンジン２０には、投写レンズユニット３０が装着されており、投写レンズユニット３０の前端部が、投写窓１０１から前方に露出している。投写レンズユニット３０は、光学エンジン２０で生成された映像光を、プロジェクタ１の前方に配されたスクリーンに拡大投写する。
【００２８】
図２は、光学エンジン２０の構成を示す図である。
【００２９】
図２に示すように、光学エンジン２０は、ランプ２０１と、導光光学系２０２と、３つの透過型の液晶パネル２０３、２０４、２０５と、ダイクロイックプリズム２０６とを備えている。なお、液晶パネル２０３、２０４、２０５の入射側と出射側には図示しない偏光板が配されている。
【００３０】
ランプ２０１は、たとえば、メタルハライドランプ、キセノンランプ等である。ランプ２０１から出射された白色光は、導光光学系２０２によって赤色波長帯の光（以下、「Ｒ光」という）と、緑色波長帯の光（以下、「Ｇ光」という）と、青色波長帯の光（以下、「Ｂ光」という）に分離され、液晶パネル２０３、２０４、２０５に照射される。これら液晶パネル２０３、２０４、２０５によって変調されたＲ光、Ｇ光、Ｂ光は、ダイクロイックプリズム２０６によって色合成され、映像光として出射される。
【００３１】
なお、光学エンジン２０を構成する光変調素子としては、上記透過型の液晶パネル２０３、２０４、２０５の他、反射型の液晶パネルや、ＭＥＭＳデバイスを用いることもできる。また、光学エンジン２０は、上記のように３つの光変調素子を備えた３板式の光学系ではなく、たとえば、１つの光変調素子とカラーホイールを用いた単板式の光学系により構成することもできる。
【００３２】
図３は、プロジェクタ１の回路系の構成を示す図である。
【００３３】
液晶パネル２０３、２０４、２０５、ランプ２０１等を制御するため、プロジェクタ１は、制御回路部４０を備える。制御回路部４０は、ＣＰＵ４０１、メモリ４０２、キー入力回路４０３、人感センサ４０４、入力切替回路４０５、Ａ／Ｄコンバータ４０６、信号処理回路４０７、パネル駆動回路４０８、ランプ駆動回路４０９、冷却ファン４１０、ファン駆動回路４１１を含む。
【００３４】
キー入力回路４０３は、操作キー群１０４の各キーの操作に応じた操作信号をＣＰＵ４０１へ出力する。
【００３５】
人感センサ４０４は、プロジェクタ１の周囲における人体の存在を感知するセンサである。人感センサ４０４は、たとえば、人体から出射した赤外線を検出する赤外線センサを備える。人感センサ４０４は、当該赤外線センサが赤外線を検出したとき、人体の存在を感知したことを示す人体感知信号をＣＰＵ４０１へ出力する。
【００３６】
人感センサ４０４は、赤外線に限らず、人体から反射する可視光、超音波等を検出するセンサを備えてもよい。この場合、当該センサが可視光や超音波を検出したとき、人体の存在を感知したことを示す人体感知信号をＣＰＵ４０１へ出力する。また、人感センサ４０４は、カメラにより撮影された画像に所定の画像処理を施し、当該画像から周囲にいる人物の画像を抽出することにより、人体の存在を感知するような構成とされてもよい。
【００３７】
入力切替回路４０５は、複数の入力端子の中から接続する入力端子を切り替える。入力切替回路４０５によって接続された入力端子を通じて、外部からの映像信号が入力される。入力された映像信号がアナログ信号である場合には、Ａ／Ｄコンバータ４０６によってデジタルの映像信号に変換されて信号処理回路４０７に入力される。なお、映像信号がデジタル信号である場合には、Ａ／Ｄコンバータ４０６を介することなく信号処理回路４０７に入力される。
【００３８】
信号処理回路４０７は、入力された映像信号に対して、スケーリング補正(画素数の補正)、ホワイトバランス補正、ガンマ補正等の各種補正を行う。また、信号処理回路４０７は、映像信号がＲＧＢ信号以外の信号である場合、かかる信号をＲＧＢ信号に変換する。
【００３９】
信号処理回路４０７から出力されたＲＧＢ信号は、パネル駆動回路４０８に入力される。パネル駆動回路４０８は、入力されたＲＧＢ信号に従って液晶パネル２０３、２０４、２０５を駆動する。
【００４０】
信号処理回路４０７は、映像信号検出回路４０７ａを備える。映像信号検出回路４０７ａは、入力切替回路４０５から映像信号が入力されていることを検出し、検出に基づく映像検出信号を、ＣＰＵ４０１へ出力する。ＣＰＵ４０１は、信号処理回路４０７からの映像検出信号に基づき、現在、入力切替回路４０５から映像信号が入力されているか否かを判別できる。
【００４１】
冷却ファン４１０は、キャビネット１０に内蔵される。冷却ファン４１０は、キャビネット１０に備えられた吸気口（図示せず）から外気を取り込んで導光光学系２０２の各部を空冷するとともに、空冷に用いた空気を上記の排気口１０２、１０３から排気する。
【００４２】
ファン駆動回路４１１は、ＣＰＵ４０１からの制御信号に従って、冷却ファン４１０を
駆動する。
【００４３】
メモリ４０２は、ＲＡＭ、ＲＯＭを含む。メモリ４０２には、ＣＰＵ４０１に制御機能を付与するための制御プログラムが記憶されている。
【００４４】
ＣＰＵ４０１は、メモリ４０２に記憶されている制御プログラムに従って、プロジェクタ１の運転を行う。
【００４５】
ＣＰＵ４０１は、以下に図４を用いて説明される駆動制御処理を実行するため、駆動制御部４０１ａを備える。メモリ４０２に格納されているプログラムにより、駆動制御部４０１ａの機能がＣＰＵ４０１に付与される。
【００４６】
図４は、駆動制御処理を示すフローチャートである。駆動制御処理は、プロジェクタ１が運転されている状態において、人感センサ４０４からの人体感知信号と信号処理回路４０７からの映像検出信号に基づき、プロジェクタ１の運転を継続および停止させるための処理である。
【００４７】
駆動制御部４０１ａは、プロジェクタ１の運転が停止されている状態において運転キー１０４ａに対する操作を検出した場合、駆動制御処理の実行を開始する。駆動制御部４０１ａは、まず、ランプ２０１、液晶パネル２０３、２０４、２０５および冷却ファン４１０を駆動することにより、プロジェクタ１の運転を開始する（Ｓ１０１）。
【００４８】
プロジェクタ１の運転の開始後、駆動制御部４０１ａは、人感センサ４０４からの人体感知信号に基づき、人感センサ４０４によりプロジェクタ１の周囲における人体の存在が感知されたか否かを判定する（Ｓ１０２）。人体の存在が感知されない場合（Ｓ１０２：ＮＯ）、駆動制御部４０１ａは、映像信号検出回路４０７ａからの映像検出信号に基づき、映像信号が入力されているか否かを判定する（Ｓ１０３）。
【００４９】
駆動制御部４０１ａは、人体の存在が感知されず（Ｓ１０２：ＮＯ）、且つ、映像信号が入力されていない場合（Ｓ１０３：ＮＯ）、プロジェクタ１の運転を停止させる（Ｓ１０５）。
【００５０】
人体の存在が感知された場合（Ｓ１０２：ＹＥＳ）、または、映像信号が入力されている場合（Ｓ１０３：ＹＥＳ）、駆動制御部４０１ａは、運転停止操作、すなわちプロジェクタ１が運転されている状態における運転キー１０４ａに対する操作がなされたか否かを判定する（Ｓ１０４）。駆動制御部４０１ａは、運転停止操作がなされていない判定した場合（Ｓ１０４：ＮＯ）、ステップＳ１０２とＳ１０３の処理を再び実行する。駆動制御部４０１ａは、運転停止操作がなされたと判定した場合（Ｓ１０４：ＹＥＳ）、ランプ２０１、液晶パネル２０３、２０４、２０５および冷却ファン４１０を停止させることにより、プロジェクタ１の運転を停止させる（Ｓ１０５）。
【００５１】
たとえば、プロジェクタ１の運転を開始させるための運転キー１０４ａに対する操作が操作者によりなされた直後、操作者はプロジェクタ１の近くにいるため、人感センサ４０４は人体の存在を感知する（Ｓ１０２：ＹＥＳ）。この場合（Ｓ１０２：ＹＥＳ）、運転停止操作がなされない限り、プロジェクタ１の運転は継続される（Ｓ１０４：ＮＯ→Ｓ１０２：ＹＥＳ）。
【００５２】
図４のフローチャートによって示される通り、駆動制御部４０１ａは、映像信号検出回路４０７ａによって検出されるプロジェクタ１の運転の状態に関わらず、人体の存在が感知された場合には（Ｓ１０２：ＹＥＳ）、プロジェクタ１の運転を継続させる。たとえば
、上記の例の如くプロジェクタ１の運転が開始された後に、操作者が、映像信号を出力するパソコン等の機器の出力端子とプロジェクタ１に備えられた入力端子とを接続するための作業を行う場合がある。このような場面では、駆動制御部４０１ａは、人体（操作者）を感知したとして、映像信号が入力されていないにも関わらず、ステップＳ１０２においてＹＥＳと判定する。つまり、プロジェクタ１の運転が継続される。
【００５３】
駆動制御部４０１ａは、人体の存在が感知されない場合であっても（Ｓ１０２：ＮＯ）、映像信号が入力されている場合（Ｓ１０３：ＹＥＳ）、プロジェクタ１の運転を継続させる。
【００５４】
たとえば、展示会場などにおいて、プロジェクタ１を用いた上演が行われる際、映像信号に基づく投写画面が、当該展示会場に配置されたスクリーンに投写される。このような場面では、上演中に、閲覧者がプロジェクタ１の周囲にいない場合があり得る。このような場合であっても、映像信号が入力されているときには（Ｓ１０３：ＹＥＳ）、プロジェクタ１の運転は継続される。
【００５５】
以上、本実施の形態によれば、プロジェクタ１の周囲に人物がいない場合であっても、映像信号が入力されている間は、その映像信号に基づく投写画面５０がスクリーンに投写される。よって、投写による利便性が維持される。
【００５６】
さらに、本実施の形態によれば、周囲に人物がいない場合であって、しかも映像信号が入力されていない場合には、プロジェクタ１の運転が停止される。よって、消費電力の抑制が優先される。たとえば、操作者による電源の切り忘れによる電力の浪費を抑制できる。
【００５７】
したがって、本実施の形態によれば、プロジェクタ１の利便性を保ちつつ、運転に要する消費電力を抑制できる。
【００５８】
また、本実施の形態によれば、駆動制御部４０１ａは、映像信号検出回路４０７ａが映像信号の入力を検出しない場合にも、人感センサ４０４が人体の存在を感知しているとき、運転を継続する。よって、たとえばプロジェクタ１の設置作業中には、操作者を人感センサ４０４が感知するため、プロジェクタ１の運転は停止されない。このため、操作者が映像信号を入力するための接続作業を終えたときには即座に映像信号に基づく投写画面がスクリーンに投写され、プロジェクタ１の利便性が高い。
【００５９】
＜変更例＞
図５は、本変更例に係る、プロジェクタ１の回路系の構成を示す図である。図６は、本変更例に係る、駆動制御処理を示すフローチャートである。図７は、駆動制御処理に基づきスクリーンに投写された投写画面を示す図である。
【００６０】
本変更例に係るＣＰＵ４０１は、駆動制御部４０１ａに加え、図５に示すように、予告部４０１ｂをさらに備える。予告部４０１ｂは、図６に示される駆動制御処理に基づいて、駆動制御部４０１ａによるプロジェクタ１の運転の停止に先立ち、当該運転の停止を予告する。駆動制御部４０１ａと同様、メモリ４０２に格納されているプログラムにより、予告部４０１ｂの機能がＣＰＵ４０１に付与される。
【００６１】
図６のフローチャートは、図４に示すフローチャートに対し、ステップＳ１１１〜Ｓ１１６の処理が追加されている。ステップＳ１１１〜Ｓ１１６の処理は、ステップＳ１０３においてＮＯと判定された後に、予告部４０１ｂにより実行される。
【００６２】
以下に、本変更例にかかる駆動制御処理について説明する。
【００６３】
プロジェクタ１が運転されている状態において（Ｓ１０１）、人体の存在が感知されず（Ｓ１０２：ＮＯ）、且つ、映像信号が入力されていない場合（Ｓ１０３：ＮＯ）、予告部４０１ｂはステップＳ１１１〜Ｓ１１６の処理を実行する。
【００６４】
ステップＳ１１１において、まず、予告部４０１ｂは、ＣＰＵ４０１が備えるタイマを用いて、時間（Ｔ）を計り始める。時間Ｔは、人体の存在が感知されず（Ｓ１１３：ＮＯ）、且つ、映像信号が入力されていない（Ｓ１１４：ＮＯ）状態が継続する時間を表す。
【００６５】
タイマのスタートの後（Ｓ１１１）、予告部４０１ｂは、図７に示すように、プロジェクタ１の運転の停止を予告するための予告画像５０１を表示する（Ｓ１１２）。
【００６６】
具体的には、ステップＳ１１２において、予告部４０１ｂは、まず、プロジェクタ１の運転を停止させるまでの時間を表示する画像５０１ａと、投写画面５０の投写を停止中止することを示す画像５０１ｂとを含む予告画像５０１を生成する処理を実行する。次に、予告部４０１ｂは、生成した予告画像５０１を含む投写画面５０を駆動制御部４０１ａに投写させる。予告画像５０１を含む投写画面５０が、スクリーンへ投写されることにより、スクリーンに予告画像５０１が表示される。
【００６７】
ここで、上記のプロジェクタ１の運転を停止させるまでの時間は、所定時間Ｔ０と時間Ｔとの差Ｔ０−Ｔを意味する。所定時間Ｔ０は、人感センサ４０４により人体の存在が感知されず（Ｓ１１３：ＮＯ）、且つ、映像信号が入力されていない場合（Ｓ１１４：ＮＯ）において、プロジェクタ１の運転を停止させる処理（Ｓ１０５）を実行するまでの所定の時間の長さである。所定時間Ｔ０は、たとえば数秒〜数分程度に予め設定される。
【００６８】
運転の停止を予告するための予告画像５０１が表示された後（Ｓ１１２）、人体の存在が感知されず（Ｓ１１３：ＮＯ）、且つ、映像信号が入力されていない場合（Ｓ１１４：ＮＯ）、予告部４０１ｂは、時間Ｔが、所定時間Ｔ０を超えたか否か、つまりＴ＞Ｔ０を満たすか否かを判定する（Ｓ１１５）。
【００６９】
ステップＳ１１１におけるタイマのスタート直後に、上記のステップＳ１１５の処理が実行される場合、時間Ｔは所定時間Ｔ０に満たさない（Ｓ１１５：ＮＯ）。この場合、予告部４０１ｂは、ステップＳ１１６において、ＣＰＵ４０１により運転停止操作が検出されたか否かを判定する。ステップＳ１１６における判定処理は、ステップＳ１０４における判定処理に同じである。運転停止操作がなされた場合（Ｓ１１６：ＹＥＳ）、駆動制御部４０１ａがプロジェクタ１の運転を停止させる（Ｓ１０５）。運転の停止の後、図６の駆動制御処理は終了する。
【００７０】
運転停止操作がなされていない場合（Ｓ１１６：ＮＯ）、駆動制御処理はステップＳ１１２へ進み、予告部４０１ｂは、ステップＳ１１２の表示処理を再び実行する。ステップＳ１１２の表示処理が２回目以降に実行される場合、予告画像５０１において、画像５０１ａ中の残り時間（Ｔ０−Ｔ）が更新される。
【００７１】
つまり、ステップＳ１１２〜Ｓ１１６の処理が、ループ処理として繰り返し実行される場合、時間の経過とともに更新される画像５０１ａにおける残り時間Ｔ０−Ｔは減少する。
【００７２】
この後、上記残り時間がゼロ、つまり時間Ｔが所定時間Ｔ０に達したとき、ステップＳ１１５の判定処理においてＹＥＳと判定される（Ｓ１１５：ＹＥＳ）。この場合、駆動制
御部４０１ａは、プロジェクタ１の運転を停止させ（Ｓ１０５）、駆動制御処理を終了する。
【００７３】
時間Ｔが所定時間Ｔ０に達する前に運転停止操作なされた場合においても（Ｓ１１６：ＹＥＳ）、駆動制御部４０１ａは、プロジェクタ１の運転を停止させ（Ｓ１０５）、駆動制御処理を終了する。
【００７４】
時間Ｔが所定時間Ｔ０に達する前において、人体の存在が感知された場合（Ｓ１１３：ＹＥＳ）、または、映像信号の入力が検出された場合（Ｓ１１４：ＹＥＳ）、予告部４０１ｂは、ステップＳ１１２における表示処理に基づき表示された予告画像５０１の表示を、駆動制御部４０１ａに解除させるとともに（Ｓ１１７）、ステップＳ１１１において計時を開始したタイマを停止する（Ｓ１１８）。タイマの停止の後、駆動制御部４０１ａは、上記実施の形態にて説明したステップＳ１０４の処理へ戻る。この場合、運転停止操作がなされていない間（Ｓ１０４：ＮＯ）、人体の存在の感知（Ｓ１０２）および映像信号の入力の有無（Ｓ１０３）に関する判定処理が、上記実施の形態にて説明した如く繰り返し実行される。
【００７５】
以上、本変更例の構成によれば、人体の存在が感知されず、且つ、映像信号が入力されていないことに基づいて運転が停止される前に、運転の停止の予告が予告部４０１ｂによりなされる。予告により、操作者はプロジェクタ１の運転の停止を事前に知ることができ、利便性が向上する。
【００７６】
さらに、予告がなされた後の所定時間Ｔ０の間に、人感センサ４０４が人体の存在を感知せず、且つ、映像信号検出回路４０７ａが映像信号の入力を検出しないことに基づいて、駆動制御部４０１ａは運転を停止する。この構成によれば、予告の後において、人体の存在が感知されず、且つ、映像信号が入力されなかった場合、プロジェクタ１の運転が停止される。この場合には、消費電力の抑制できる。
【００７７】
また、本変更例の構成によれば、プロジェクタ１の運転の停止を予告するための予告画像５０１を含む投写画面５０がスクリーンに投写される。操作者および閲覧者は、スクリーンに投写された投写画面５０に含まれる予告画像５０１を見ることによって、容易に運転が停止されることを知ることができ、便利である。
【００７８】
また、本変更例の構成によれば、予告画像５０１は、運転が停止されるまでの残り時間（Ｔ０−Ｔ）を表示する画像を含むため、操作者および閲覧者は、運転が停止されるまでの時間を容易に知ることができ、便利である。
【００７９】
＜その他＞
以上のとおり、本実施の形態および変更例について説明したが、本発明は上記実施の形態および変更例に何ら制限されるものではなく、また、本発明の実施形態も、上記実施の形態以外に、種々の変更が可能である。
【００８０】
たとえば、上記変更例では、予告部４０１ｂは、プロジェクタ１の運転を停止させるまでの時間を表示する画像５０１ａと、投写画面５０の投写を停止することを示す画像５０１ｂとを含む予告画像５０１を表示する。これに限らず、たとえば、図８に示すように、プロジェクタ１の運転を停止させるまでの時間を表示する画像５０１ａと映像信号が入力されていないことを報知する画像５０１ｃとを含む予告画像５０１がスクリーンに表示されるよう構成されてもよい。さらに、画像５０１ａ、画像５０１ｂ、および画像５０１ｃのうち、いずれか１つ以上を含む予告画像５０１が表示されてもよい。
【００８１】
さらに、上記実施の形態では、光源としてランプ２０１が用いられているが、ランプ光源に限らず、ＬＥＤ光源、レーザ光源等の固体光源が用いられても良い。
【００８２】
この他、本発明の実施の形態は、特許請求の範囲に示された技術的思想の範囲内において、適宜、種々の変更が可能である。
【符号の説明】
【００８３】
１  プロジェクタ  （投写型表示装置）
５０  画像  （投写画面）
２０１  ランプ  （光源）
２０３、２０４、２０５  液晶パネル  （光変調部）
４０１ａ  駆動制御部
４０１ｂ  予告部
４０４  人感センサ  （人体感知部）
４０７ａ  映像信号検出回路  （検出部）
５０１  予告画像
【図１】
2013134283.tif 000003
【図２】
2013134283.tif 000004
【図３】
2013134283.tif 000005
【図４】
2013134283.tif 000006
【図５】
2013134283.tif 000007
【図６】
2013134283.tif 000008
【図７】
2013134283.tif 000009
【図８】
2013134283.tif 000010